(57)【要約】      （修正有）【課題】使用済介護用品等を、装置に入れる際にも臭いが広がらず、かつ室内においても臭いがもれることが無く、装置から回収する際にも臭いが広がらない使用済介護用品処理装置を提供する。【解決手段】上蓋開閉ペダル６により開閉可能に設けられた上蓋１３と、ポリ袋ホールド部２と、該ポリ袋の口をシールするために設けられた電気で作動するシール装置３と、装置前方に設けられた開口から取り出し可能に設けられた処理品ストッカー１５と、該処理品ストッカーの上面の開口を塞ぎ、電動で開閉可能な底蓋４とからなり、該ポリ袋ホールド部にセットしたポリ袋の底が該底蓋の上に載った状態で、該上蓋を上蓋開閉ペダル開けてポリ袋の中に使用済介護用品等を入れた後、ポリ袋の口を該シール装置によりシールし、シール装置と連動して底蓋が開き、シールされた使用済介護用品の入ったポリ袋が、該処理品ストッカーにセットされた袋の中に落ちて収納される。【選択図】図１
2006130132.tif 000002
【特許請求の範囲】
【請求項１】
使用済介護用品等を一時的に貯留しておくための使用済介護用品等処理装置であって、
装置正面の下部に設けられた上蓋開閉ペダルにより開閉可能に装置上面に設けられた上蓋と、
ポリ袋の口を開けてセットするために装置内部の上方に設けられたポリ袋ホールド部と、
該ポリ袋ホールド部の下方に該ポリ袋の口をシールするために設けられ、装置前面  の下部に設けられシール開始ペダルにより電気で作動するシール装置と、
装置前方に設けられた開口から取り出し可能に装置内部の下方に設けられた上面が開口になっている処理品ストッカーと、
該処理品ストッカーの上面の開口を塞ぎ、電動で開閉可能な底蓋とからなり、
該ポリ袋ホールド部にセットしたポリ袋の底が該底蓋の上に載った状態で、該上蓋を上蓋開閉ペダル開けてポリ袋の中に使用済介護用品等を入れた後、ポリ袋の口を該シール装置によりシールし、シール完了後にシール装置と連動して底蓋が開き、シールされた使用済介護用品の入ったポリ袋が、該処理品ストッカーにセットされた袋の中に落ちて収納されることを特徴とする使用済介護用品等処理装置。
【請求項２】
底面に移動用前輪およびブレーキ付き移動用後輪が設けられ、上部には手押しパイプが設けられて、簡単に移動可能なことを特徴とする請求項１記載の使用済介護用品等処理装置。
【請求項３】
交換用新品介護用品を入れるための収納棚が設けられていることを特徴とする請求項１または２に記載の使用済介護用品等処理装置。
【請求項４】
前記シール装置は、平行に間隔を空けて配置された２本のスライド軸と、該２本のスライド軸にその両端がスライドユニットによって該スライド軸上を互いの間隔を広げたり狭めたりするためにスライド可能に固定され平行に向かい合って配置された２つの樹脂コーキングヒーターからなり、前記シール用ペダルによりコーキング装置が作動すると、該２本のスライド軸と２つの樹脂コーキングヒーターに囲まれた空間にある前記ポリ袋ホールド部にセットされたポリ袋をシールするために、２つの樹脂コーキングヒータがスライドして互いに近づき、該ポリ袋を挟み込みシールすることを特徴とする請求項１から３のいずれか１項に記載の使用済介護用品等処理装置。
【請求項５】
使用済介護用品等を一時的に貯留しておくための使用済介護用品等処理装置であって、
装置正面の下部に設けられた上蓋開閉ペダルにより開閉可能に装置上面に設けられた上蓋と、
装置内部の上方にポリ袋の口を開けてセットするためのポリ袋ホールド部と、
装置内部に設置された該ポリ袋の口を封印するためのテープと
装置前方に設けられた開口から取り出し可能に装置内部の下方に設けられた上面が開口になっている処理品ストッカーと、
該処理品ストッカーの上面の開口を塞ぎ、装置前面の下部に設けられた底蓋用ペダルで開閉可能な底蓋とからなり、
該ポリ袋ホールド部にセットしたポリ袋の底が該底蓋の上に載った状態で、該上蓋を上蓋開閉ペダルにより開けてポリ袋の中に使用済介護用品等を入れた後、ポリ袋の口をテープを使用して手で封印し、上蓋開閉ペダルにより底蓋を開き、シールされた使用済介護用品の入ったポリ袋が、該処理品ストッカーにセットされた袋の中に落ちて収納されることを特徴とする使用済介護用品等処理装置。
【請求項６】
底面に移動用前輪およびブレーキ付き移動用後輪が設けられ、上部には手押しパイプが設けられて、簡単に移動可能なことを特徴とする請求項５記載の使用済介護用品等処理装置。
【請求項７】
交換用新品介護用品を入れるための収納棚が設けられていることを特徴とする請求項５または６に記載の使用済介護用品等処理装置。
【発明の詳細な説明】
【技術分野】
【０００１】
本発明は、使用済み紙オムツ等の介護などで生じる悪臭を放つ廃棄物等を、ごみ収集所に持っていくまでの間、その臭いを放つことなく一時的に多数貯留しておくための、使用済介護用品処理装置に関する。
【背景技術】
【０００２】
近年、老人ホームや病院等において、入所者や入院患者の介護用品として紙オムツ等が多数使われている。使用済みの紙オムツは、室内で一時的に保管され、ある程度の量がまとまった時点で、排気処分のために取り出され、処分される。
【０００３】
上記のように、使用済オムツ等を室内で一時的に保管する場合、ゴミ箱やゴミ袋あるいはゴミ箱にセットされたゴミ袋に、使用済オムツ等を入れておくことが多い。この場合、封入口やゴミ箱の蓋の開閉作業がその都度必要となり、口を開く際に、中の臭いが外に広がる恐れがある。さらにゴミ袋の結び目やゴミ箱の蓋の隙間から臭いが漏れ出す事もある。
【０００４】
今までこのような臭いの放出を防ぐためには、蓋を二重構造にした使用済オムツを一時的に保存しておく容器が使用されてきた。この従来の容器では、上蓋と容器本体内部の密閉口を有する二重蓋構造となっており、密閉口に収納袋を吊り下げる構造が用いられる。前記容器に使用済オムツを入れる時には、上蓋を開けた状態で密閉口を開いて、使用済オムツを収納袋に投入し、密閉口を閉じて上蓋を閉めると収納袋が密閉され、収納袋がいっぱいになると取り出して、廃棄している。
【発明の開示】
【発明が解決しようとする課題】
【０００５】
上述の従来の容器では、二重蓋になっているので、室内に置いていても臭いが漏れることは無いが、蓋を開ける時には臭いが広がるという問題が残り、また、収納袋がいっぱいになった時に、廃棄するために収納袋を取り出し、収納袋の口を閉める時にも、臭いが広がるという問題点があった。
【０００６】
本発明は、上記のような問題点を鑑み、使用済介護用品等を、装置に入れる際にも臭いが広がらず、かつ室内においておいても臭いがもれることが無く、装置から回収する際にも臭いが広がらない使用済介護用品処理装置を提供することを目的とする。
【課題を解決するための手段】
【０００７】
本発明の使用済介護用品等処理装置は、装置正面の下部に設けられた上蓋開閉ペダルにより開閉可能に装置上面に設けられた上蓋と、ポリ袋の口を開けてセットするために装置内部の上方に設けられたポリ袋ホールド部と、該ポリ袋ホールド部の下方に該ポリ袋の口をシールするために設けられ、装置前面の下部に設けられシール開始ペダルにより電気で作動するシール装置と、装置前方に設けられた開口から取り出し可能に装置内部の下方に設けられた上面が開口になっている処理品ストッカーと、該処理品ストッカーの上面の開口を塞ぎ、電動で開閉可能な底蓋とからなり、該ポリ袋ホールド部にセットしたポリ袋の底が該底蓋の上に載った状態で、該上蓋を上蓋開閉ペダル開けてポリ袋の中に使用済介護用品等を入れた後、ポリ袋の口を該シール装置によりシールし、シール完了後にシール装置と連動して底蓋が開き、シールされた使用済介護用品の入ったポリ袋が、該処理品ストッカーにセットされた袋の中に落ちて収納されることを特徴とする。
【０００８】
また、本発明の使用済介護用品等処理装置は、底面に移動用前輪およびブレーキ付き移動用後輪が設けられ、上部には手押しパイプが設けられて、簡単に移動可能なことが好ましい。
【０００９】
さらに、本発明の使用済介護用品等処理装置は、交換用新品介護用品を入れるための収納棚が設けられていることが好ましい。
【００１０】
そして、前記シール装置が、平行に間隔を空けて配置された２本のスライド軸と、該２本のスライド軸にその両端がスライドユニットによって該スライド軸上を互いの間隔を広げたり狭めたりするためにスライド可能に固定され平行に向かい合って配置された２つの樹脂コーキングヒーターからなり、前記シール用ペダルによりコーキング装置が作動すると、該２本のスライド軸と２つの樹脂コーキングヒーターに囲まれた空間にある前記ポリ袋ホールド部にセットされたポリ袋をシールするために、２つの樹脂コーキングヒータがスライドして互いに近づき、該ポリ袋を挟み込みシールすることが好ましい。
【００１１】
また、本発明の使用済介護用品等処理装置は、装置正面の下部に設けられた上蓋開閉ペダルにより開閉可能に装置上面に設けられた上蓋と、ポリ袋の口を開けてセットするために装置内部の上方に設けられたポリ袋ホールド部と、装置内部に設置された該ポリ袋の口を封印するためのテープと、装置前方に設けられた開口から取り出し可能に装置内部の下方に設けられた上面が開口になっている処理品ストッカーと、該処理品ストッカーの上面の開口を塞ぎ、装置前面の下部に設けられた底蓋用ペダルで開閉可能な底蓋とからなり、該ポリ袋ホールド部にセットしたポリ袋の底が該底蓋の上に載った状態で、該上蓋を上蓋開閉ペダルにより開けてポリ袋の中に使用済介護用品等を入れた後、ポリ袋の口をテープを使用して手で封印し、上蓋開閉ペダルにより底蓋を開き、シールされた使用済介護用品の入ったポリ袋が、該処理品ストッカーにセットされた袋の中に落ちて収納されることを特徴とする。
【００１２】
また、本発明の前記使用済介護用品等処理装置は、底面に移動用前輪およびブレーキ付き移動用後輪が設けられ、上部には手押しパイプが設けられて、簡単に移動可能なことが好ましい。
【００１３】
さらに、本発明の前記使用済介護用品等処理装置は、交換用新品介護用品を入れるための収納棚が設けられていることが好ましい。
【発明の効果】
【００１４】
本発明の使用済介護用品等処理装置は、装置正面の下部に設けられた上蓋開閉ペダルにより開閉可能に装置上面に設けられた上蓋と、ポリ袋の口を開けてセットするために装置内部の上方に設けられたポリ袋ホールド部と、該ポリ袋ホールド部の下方に該ポリ袋の口をシールするために設けられ、装置前面の下部に設けられシール開始ペダルにより電気で作動するシール装置と、装置前方へ取り出し可能に装置内部の下方に設けられた上面が開口になっている処理品ストッカーと、該処理品ストッカーの上面の開口を塞ぎ、電動で開閉可能な底蓋とからなり、該ポリ袋ホールド部にセットしたポリ袋の底が該底蓋の上に載った状態で、該上蓋を上蓋開閉ペダル開けてポリ袋の中に使用済介護用品等を入れた後、ポリ袋の口を該シール装置によりシールし、シール完了後にシール装置と連動して底蓋が開き、シールされた使用済介護用品の入ったポリ袋が、該処理品ストッカーにセットされた袋の中に落ちて収納されることにより、使用済介護用品が１つずつポリ袋に入れられてシールされるので、ゴミ袋に多数の使用済み介護用品が貯留された後に取り出し時に、ゴミ袋の口が封印されていなくても臭いが広がらずに、処分することが可能であり、このことは、より低コストで実現される。
【００１５】
また、本発明の使用済介護用品等処理装置は、底面に移動用前輪およびブレーキ付き移動用後輪が設けられ、上部には手押しパイプが設けられて、簡単に移動可能なことにより、老人ホームや病院内で移動しながら使用済介護用品の回収が可能になりより作業性が向上する。
【００１６】
さらに、本発明の使用済介護用品等処理装置は、交換用新品介護用品を入れるための収納棚が設けられていることにより、介護用品の交換、回収作業の時間が短縮可能となる。
【００１７】
そして、前記シール装置が、平行に間隔を空けて配置された２本のスライド軸と、該２本のスライド軸にその両端がスライドユニットによって該スライド軸上を互いの間隔を広げたり狭めたりするためにスライド可能に固定され平行に向かい合って配置された２つの樹脂コーキングヒーターからなり、前記シール用ペダルによりコーキング装置が作動すると、該２本のスライド軸と２つの樹脂コーキングヒーターに囲まれた空間にある前記ポリ袋ホールド部にセットされたポリ袋をシールするために、２つの樹脂コーキングヒータがスライドして互いに近づき、該ポリ袋を挟み込みシールすることにより、より簡単で確実にシールを行うことができ、より低コストで臭いが広がるのを防ぐことが出きる
【００１８】
また、本発明の使用済介護用品等処理装置は、装置正面の下部に設けられた上蓋開閉ペダルにより開閉可能に装置上面に設けられた上蓋と、ポリ袋の口を開けてセットするために装置内部の上方に設けられたポリ袋ホールド部と、装置内部に設置された該ポリ袋の口を封印するためのテープと、装置前方へ取り出し可能に装置内部の下方に設けられた上面が開口になっている処理品ストッカーと、該処理品ストッカーの上面の開口を塞ぎ、装置前面の下部に設けられた底蓋用ペダルで開閉可能な底蓋とからなり、該ポリ袋ホールド部にセットしたたポリ袋の底が該底蓋の上に載った状態で、該上蓋を上蓋開閉ペダルにより開け、ポリ袋の中に使用済介護用品等を入れた後、ポリ袋の口をテープを使用して手で封印し、上蓋開閉ペダルにより底蓋を開き、シールされた使用済介護用品の入ったポリ袋が、該処理品ストッカーにセットされた袋の中に落ちて収納されることにより、電気を使わずに、使用済介護用品の回収および臭いの拡散を防止することが可能となる。
【００１９】
また、本発明の前記使用済介護用品等処理装置は、底面に移動用前輪およびブレーキ付き移動用後輪が設けられ、上部には手押しパイプが設けられて、簡単に移動可能なことにより、簡単に移動可能となり、作業性がより向上する。
【００２０】
さらに、本発明の前記使用済介護用品等処理装置は、交換用新品介護用品を入れるための収納棚が設けられていることにより、介護用品の交換、回収作業を同時に完了することができる
【発明を実施するための最良の形態】
【００２１】
以下に、図を用いて本発明の本発明の使用済介護用品等処理装置について詳しく説明する。ここでは、使用済介護用品として紙オムツ１７を用いて説明する。
【００２２】
図１に示す使用済介護用品等処理装置Ａは、上面に上蓋１３が取り付けられた装置本体１と、装置本体１の背面に設けられた収納棚１４と、収納棚１４の上部に設けられた手押パイプ１１と、装置本体１の底面前方に設けられた２個の移動用前輪と、収納棚１４の底面後方に設けられたブレーキ付き後輪とから構成される。
【００２３】
上蓋１３は、装置本体１の前面下方に設けられた上蓋用ペダル６を踏むことにより開閉可能に構成されている。これにより、紙オムツ１７等を持って手がふさがった状態でも、上蓋１３を開けることができる。
【００２４】
装置本体１の内部には、使用済介護用品の臭いを閉じ込めて貯留しておくための装置が設けられている。装置本体１の内部上方には、紙オムツ１７を個別に封印するポリ袋１８をセットするためのポリ袋ホールド部２が、装置本体１の内壁に固定されている。ポリ袋ホールド部２は環状をしており、ポリ袋１８をその口を開けた状態でポリ袋ホールド部２の内側にセットし、ポリ袋１８の口の縁をポリ袋ホールド部２の外側へ折り返して固定する。これによりポリ袋１８は口を開いて紙オムツ１７を投入できる状態になる。
【００２５】
ポリ袋１８がセットされるポリ袋ホールド部２の下方には、セットされたポリ袋１８をシールするためのシール装置３が設けられている。シール装置３は、図２に示すような構造をした電動のホットシール装置であり、装置本体１の前面下方に設けられたシール開始ペダル７により作動し、紙オムツ１７が入れられたポリ袋１８をシールして封印する。
【００２６】
シール装置３は、図２示すように、装置本体１の内壁に固定された互いに平行な２本のスライド軸３２と、スライド軸３２にスライドユニット３３を介してスライド可能に取り付けられた、互いに平行な２個の樹脂コーキングヒーター３１から構成される。
【００２７】
樹脂コーキングヒーター３１は、互いに向かい合って配置され、前後にスライド可能であり、図３の断面図に示すように、互いに離れた状態の時にその間にポリ袋１８がセットされ、ポリ袋１８に紙オムツ１７を入れてシール開始ペダル７を踏むと、互いに近づきポリ袋１８を挟み込んでシールする。樹脂コーキングヒーター３１は互いに接触した時にスイッチが入るようにしておき電気により作動する。スライド動作はシール開始ペダル７を踏むことによりロッドを介して人力で作動する。
【００２８】
スライド動作は、図２に示すように、水平ロッド３５および鉛直ロッド３８、ワイヤー３４により作動する。水平ロッド３５の先端に固定されたシール開始ペダルを踏むと、水平ロッド３５はペダルロッド支点３６を支点としてその後端が持ち上げられ、水平ロッド３５の後端に取りつけられた方向転換コマ３７を介して可動可能に取りつけられた鉛直ロッド３８が上方にスライドする。鉛直ロッド３８は鉛直ロッド軸受９により装置本体１の内壁に取りつけられている。
【００２９】
鉛直ロッド３８の先端には、２本のワイヤー３４が取りつけられ、このワイヤー３４が複数のワイヤー用コマ３０を介して、２個のスライドユニット３３にそれぞれ接続されている。このワイヤー３４が鉛直ロッド３８により引っ張られることにより、２個の樹脂コーキングヒーター３１がスライドして互いに近づいて行く。このようにして、シール開始ペダル７を踏むとポリ袋１８がシールされ、シール開始ペダル７を離すと樹脂コーキングヒーター３１が離れシールが完了する。
【００３０】
前記シール装置３の下方には、ポリ袋１８を受けるための底蓋４が設けられている。底蓋４は、底蓋ロック機構５により下方に開かないように支えられて閉じており、ロック機構５はシール装置３とタイマーにより連動しており、ポリ袋１８のシール完了後、ロック機構５が作動し底蓋４が開いて、紙オムツが入ったポリ袋１８を下方に落下させる。
【００３１】
底蓋４は、２枚の蓋部４３と、蓋部４３が開閉するための２本の底蓋軸４２とから構成されている。底蓋４が開かないようにロックするためのロック機構５は、底蓋開閉ソレノイド４１とそれから延びるプレート４５から構成される。通常は、２枚の蓋部４３が底蓋軸４２に取りつけられているひねりスプリング４４の作用で水平になり底蓋４が閉じた状態になっており、かつ蓋部４３に荷重がかかっても下方に開いてしまわないように底蓋開閉ソレノイド４１から延びるプレート４５により支えられている。
【００３２】
ポリ袋１８がポリ袋ホールド部２にセットされると、ポリ袋１８の底は底蓋４に載った状態となる。紙オムツ１７をポリ袋１８に入れると、図３に示すような、紙オムツ１７の重みが底蓋４に掛かる状態となるが、底蓋４はプレート４５により支えられているので、その重みにより開くことは無い。シール装置３によりシールが完了すると、シール装置３の作動開始と連動するようになっているタイマーにより底蓋開閉ソレノイド４１が作動し、プレート４５がスライドし蓋部４３から離れる。この時蓋部４３に作用しているひねりスプリング４４の弾性力が紙オムツ１７の重みに耐えれないようになっているので、底蓋４が開き、ポリ袋１８が下方に落下する。ポリ袋１８の落下後、蓋部４３はひねりスプリング４４の弾性力により再び水平状態へと戻され、底蓋開閉ソレノイド４１の作動によりプレート４５が元の位置に戻されて底蓋４を支える状態に戻る。
【００３３】
前記底蓋４の下方には、落下したポリ袋１８を貯留するための処理品ストッカー１５が本体装置１の底蓋４の下方に設けられている。処理品ストッカー１５は、本体装置１の前面から取りだし可能に設置されており、その中に紙オムツ１７の入ったポリ袋１８を貯留するためのゴミ袋２０がセットされている。
【００３４】
ゴミ袋２０に紙オムツ１７の入ったポリ袋１８が貯まったら、装置本体１前面から取り出し、処分する。この時に、従来のゴミ箱等であれば、臭いが広がるが、本実施形態では、紙オムツ１７は個々にポリ袋１８に封印されているので、一切、匂いが広がることは無い。
【００３５】
本実施形態では、シール装置３および底蓋４の作動には、電気が必要となるので、室内のコンセントに接続するための、コードリール８を備えるか、バッテリーを備える必要がある。本発明では、特に電力の供給方法を限定するものではない。本発明の使用済介護用品等処理装置Ａを備え付けで使用するのであるのであれば、コンセントから電気を取っても良く、機動性を重視するのであればバッテリーを使用すればよい。
【００３６】
前記収納棚１４は、交換用の紙オムツ等を入れておくために設けてあり、また収納棚１４には、消毒・殺菌用スプレー置場１２も設けてあるので、移動しながらのオムツの交換作業が非常に便利になる。また、装置本体１の内部には、袋収納ＢＯＸ１６を設けておくことにより、新しいポリ袋１８およびゴミ袋２０を常備しておくことができる。
【００３７】
本実施形態の使用済介護用品等処理装置Ａを使用した使用済紙オムツ１７の処理手順を説明する。まず初めに、袋収納ＢＯＸ１６に備えてあるポリ袋１８とゴミ袋２０を取りだし、前もってポリ袋ホールド部２にポリ袋１８を、処理品ストッカー１５にゴミ袋をセットしておく。
【００３８】
上蓋開閉ペダル６を足で踏み、上蓋１３を開けて、使用済紙オムツ１７をポリ袋ホールド部２にセットされたポリ袋１８の中に入れる。次にシール開始ペダル７を踏むために上蓋開閉ペダル６から足を離すと、上蓋１が閉じられ、シール開始ペダル７を踏むと、シール装置３が作動し、ポリ袋１８をシールする。シール完了後、底蓋４が開き、紙オムツ１７の入ったポリ袋１８の重みで処理品ストッカー１５内にセットされたゴミ袋２０の中に落下し、貯留される。再度、上蓋開閉ペダル６を踏み、上蓋１３を開けて、ポリ袋１８をポリ袋ホールド部にセットしておく。
【００３９】
上記処理手順を繰り返し、一定量の紙オムツ１７の入ったポリ袋１８が貯留されると、処理装置本体１の前面から処理品ストッカー１５を取りだし、紙オムツ１７の入ったポリ袋１８の貯まったゴミ袋２０を処分し、新しいゴミ袋２０を処理品ストッカー１５にセットしておく。
【００４０】
本実施形態の使用済介護用品等処理装置Ａにより、使用者の必要最低限の作業により、簡単に使用済介護用品を、臭いを広げることなく処理することができる。又、本実施形態の使用済介護用品等処理装置Ａは、最低限の電動装置しか使用していないので、より低コストで製造することができる。
【００４１】
次に、本発明の使用済介護用品等処理装置Ａの別の実施形態に付いて説明する。
【００４２】
前記実施形態では一部電気を使用する装置が含まれていたが、本実施形態は、電気を使用しない使用済介護用品等処理装置Ａについて説明を行う。
【００４３】
本実施形態の使用済介護用品等処理装置Ａは、前記実施形態において電気を必要とするシール装置３、底蓋４およびシール開始ペダル７が別の形態で備えられている。他の構造については、同じ構造であるので説明を省略し、異なる部分に付いて説明する。
【００４４】
前記実施形態におけるシール装置３の代わりに本実施形態では、粘着テープ２１を使用する。ゴミ袋１８をシールする代わりに、装置本体１に備え付けられた粘着テープ２１を使用して、紙オムツ１７の入ったゴミ袋１８の口を閉じる。
【００４５】
前記実施形態における底蓋４の代わりには、底蓋２２を使用する。底蓋２２は、装置本体前面の下方に設置した、底蓋用開閉ペダル２３を踏むことにより開くようになっている。その他の構造については、前記実施形態と同じである。
【００４６】
本実施形態の使用済介護用品等処理装置Ａを使用した使用済紙オムツ１７の処理手順を説明すると、袋収納ＢＯＸ１６に備えてあるポリ袋１８とゴミ袋２０を取りだし、前もってポリ袋ホールド部２にポリ袋１８を、処理品ストッカー１５にゴミ袋をセットしておく。
【００４７】
上蓋開閉ペダル６を足で踏み、上蓋１３を開けて、使用済紙オムツ１７をポリ袋ホールド部２にセットされたポリ袋１８の中に入れる。次に粘着テープを使用して、利用者がポリ袋１８の口を閉じる。底蓋開閉ペダル２３を踏んで、底蓋２２を開け、紙オムツ１７の入ったポリ袋１８を処理品ストッカー１５内にセットされたゴミ袋２０の中に入れる。そして、ポリ袋１８をポリ袋ホールド部２にセットしておく。
【００４８】
上記処理手順を繰り返し、一定量の紙オムツ１７の入ったポリ袋１８が貯留されると、処理装置本体１の前面から処理品ストッカー１５を取りだし、紙オムツ１７の入ったポリ袋１８の貯まったゴミ袋２０を処分し、新しいゴミ袋２０を処理品ストッカー１５にセットしておく。
【００４９】
本実施形態の使用済介護用品等処理装置Ａにより、電気を使わずに、簡単に使用済介護用品を臭いを広げることなく処理することができる。これにより、さらに低コストで製造することができ、簡単に移動して使用することもできる。
【図面の簡単な説明】
【００５０】
【図１】本発明の使用済介護用品処理装置Ａの実施形態を示す斜視図であり、装置内部の構造の一部を破線で示している。
【図２】図１に示す使用済介護用品処理装置Ａの内部構造であるシール装置３と、底蓋４と底蓋ロック機構５の詳細を示す斜視図である。
【図３】図１に図１に示す使用済介護用品処理装置Ａを使用している状態を示す断面図である。
【図４】本発明の使用済介護用品処理装置Ａの別の実施形態を示す斜視図であり、装置内部の構造の一部を破線で示している。
【符号の説明】
【００５１】
Ａ    使用済介護用品等処理装置
１    装置本体
２    ポリ袋ホールド部
３    シール装置
４    底蓋
５    底蓋ロック機構
６    上蓋開閉ペダル
７    シール開始ペダル
８    コードリール
９    移動用前輪
１０  移動用後輪
１１  手押パイプ
１２  消毒・殺菌スプレー置場
１３  上蓋
１４  収納棚
１５  処理品ストッカー
１６  袋収納ＢＯＸ
１７  紙オムツ
１８  ポリ袋
２０  ゴミ袋
２１  粘着テープ
２２  底蓋
２３  上蓋開閉ペダル
３０  ワイヤー用コマ
３１  樹脂コーキングヒーター
３２  スライド軸
３３  スライドユニット
３４  ワイヤー
３５  水平ロッド
３６  ペダルロッド支点
３７  方向転換コマ
３８  鉛直ロッド
３９  鉛直ロッド軸受
４１  底蓋開閉ソレノイド
４２  底蓋軸
４３  蓋部
４４  ひねりスプリング
４５  プレート
【図１】
2006130132.tif 000003
【図２】
2006130132.tif 000004
【図３】
2006130132.tif 000005
【図４】
2006130132.tif 000006